(57)【要約】【課題】容易に注出用ノズルを切断して、注出路を開封することのできる包装袋を提供する。【解決手段】重ね合わせた表裏１対のフィルムの周端部に天シール部１、左右のサイドシール部２、３、底シール部４が設けられ、これらで囲まれた内部に内容物収納部６が形成され、内容物収納部より突き出た注出路８を設けた注出用ノズル７が天シール部に設けられ、注出ノズルに注出路の切断開封を開始するための開封開始ノッチ１０が設けられ、且つ、注出用ノズルの注出路より先端側に指掛け孔９が設けられている。注出用ノズルは一方のサイドシール部２寄りの天シール部に設けられ、一方のサイドシール部に取っ手部１２が設けられ、開封開始ノッチが注出用ノズルの一方のサイドシール部側に設けられている。【選択図】図１
2015202873.tif 000002
【特許請求の範囲】
【請求項１】
重ね合わせた表裏１対のフィルムの周端部に天シール部、左右のサイドシール部、底シール部が設けられ、これらで囲まれた内部に内容物収納部が形成され、該内容物収納部より突き出た注出路を設けた注出用ノズルが前記天シール部に設けられ、前記注出ノズルに前記注出路の切断開封を開始するための開封開始ノッチが設けられ、且つ、前記注出用ノズルの前記注出路より先端側に指掛け孔が設けられていることを特徴とする包装袋。
【請求項２】
前記注出用ノズルが一方の前記サイドシール部寄りの天シール部に設けられ、一方の前記サイドシール部に取っ手部が設けられ、前記開封開始ノッチが前記注出用ノズルの前記一方の前記サイドシール部側に設けられていることを特徴とする請求項１に記載の包装袋。
【請求項３】
注出用ノズルには、前記開封開始ノッチから前記注出路を切断する方向に、易切断線が設けられていることを特徴とする請求項１または２に記載の包装袋。
【請求項４】
前記底シール部が、底テープを表裏1対の前記フィルムの間に挟み込み、舟底形にシールされていることを特徴とする請求項１から３のいずれか１項に記載の包装袋。
【発明の詳細な説明】
【技術分野】
【０００１】
本発明は、包装袋に関するものである。特に、注出ノズルを設けて、これを切断することによって開封する包装袋に関するものである。
【背景技術】
【０００２】
シャンプー、リンス、パーマ液、ヘアカラー液、液体洗濯用洗剤、柔軟剤等の液体の製品を収納する容器は、従来、プラスチックボトルが多く用いられてきた。そして、近年、これらのプラスチックボトルへの詰め替え用としてスタンディングパウチ入りのこれら液体製品が、商店の棚を広く占めるようになって来た。
【０００３】
そして、内容物の注ぎ出すための注出路を、内容物収納部より突き出させ、その注出路を切断して開口し、詰め替えて繰り返し使用するプラスチックボトルなどの繰り返し使用容器の口に注出路を差し込むことにより、詰め替えやすくしている。
【０００４】
例えば、表側フィルムと裏側フィルムを重ね合わせ、図２のように、天シール部１、左右のサイドシール部２、３、底シール部４を設けて、内部に内容物収納部６を形成し、天シール部１と一方のサイドシール部２とによって挟まれた上隅部に、斜め上方に向く、内容物収納部６に連通する注出路８の設けられた注出用ノズル７をシール形成した包装袋２００で、注出ノズル７の先端部分のシール部を開封するときの摘む部分２０とし、ノズル上側のシール部に開封開始ノッチ２１を設けた詰め替え用の包装袋がある（特許文献１）。
【０００５】
しかし、この包装袋のように、注出ノズルの先端部分のシール部を摘んで、ノズル上側シール部に設けた開封開始ノッチからねじ切るようにした構造では、力の弱い人や、手が濡れていて滑りやすい場合には、うまく開封できないことがあった。
【０００６】
公知文献を以下に示す。
【先行技術文献】
【特許文献】
【０００７】
【特許文献１】特開２０１３−３５５６０号公報
【発明の概要】
【発明が解決しようとする課題】
【０００８】
本発明は上記のような事情に鑑みてなされたもので、容易に注出用ノズルを切断して、注出路を開封することのできる包装袋を提供することを課題としている。
【課題を解決するための手段】
【０００９】
本発明は係る課題に鑑みなされたものであり、請求項１の発明は、重ね合わせた表裏１対のフィルムの周端部に天シール部、左右のサイドシール部、底シール部が設けられ、これらで囲まれた内部に内容物収納部が形成され、該内容物収納部より突き出た注出路を設けた注出用ノズルが前記天シール部に設けられ、前記注出ノズルに前記注出路の切断開封を開始するための開封開始ノッチが設けられ、且つ、前記注出用ノズルの前記注出路より先端側に指掛け孔が設けられていることを特徴とする包装袋である。
【００１０】
本発明の請求項２の発明は、前記注出用ノズルが一方の前記サイドシール部寄りの天シール部に設けられ、一方の前記サイドシール部に取っ手部が設けられ、前記開封開始ノッチが前記注出用ノズルの前記一方の前記サイドシール部側に設けられていることを特徴とする請求項１に記載の包装袋である。
【００１１】
本発明の請求項３の発明は、注出用ノズルには、前記開封開始ノッチから前記注出路を切断する方向に、易切断線が設けられていることを特徴とする請求項１または２に記載の包装袋である。
【００１２】
本発明の請求項４の発明は、前記底シール部が、底テープを表裏1対の前記フィルムの間に挟み込み、舟底形にシールされていることを特徴とする請求項１から３のいずれか１項に記載の包装袋である。
【発明の効果】
【００１３】
本発明の包装袋は、手が滑ることもなく、弱い力でも容易に注出用ノズルを切断して、注出路を開封することができる。
【００１４】
また、請求項２の発明によれば、取っ手部が設けられているので、取っ手部を一方の手で持って抑え、他方の手の指を指掛け孔に入れて、上方に引っ張れば、開封開始ノッチから容易に注出用ノズルを切断して、注出路を開封することができる。
【００１５】
請求項３の発明によれば、易切断線が設けられているので、より容易に注出用ノズルを切断することができる。
【００１６】
請求項４の発明によれば、包装袋に自立性があり、底シール部を下にして、立てておくことができ、店舗などで展示するときに目立つこともあるが、開封するときに、持ち上げる必要がないので、置いた状態で開封することができ、少ない力で開封することができる。
【図面の簡単な説明】
【００１７】
【図１】本発明の包装袋の一例を模式的に示した説明図である。
【図２】従来の包装袋の一例を模式的に示した説明図である。
【発明を実施するための形態】
【００１８】
以下、本発明を実施するための形態につき説明する。
図１は、本発明の包装袋の一例を模式的に示した説明図である。
【００１９】
本例の包装袋１００は、重ね合わせた表裏１対のフィルムの周端部に、図１に示すように、天シール部１と、左右のサイドシール部２、３と、底シール部４が設けられている。本例の包装袋１００では、天シール部１の一部分は、内容物を充填するための充填口５として、未シールで開放されている。充填口５は、内容物を充填した後、シールされ密封される。
【００２０】
天シール部１と、左右のサイドシール部２、３と、底シール部４で囲まれた内部に内容物収納部６が形成されている。天シール部１の一方のサイドシール部２寄りには、注出用ノズル７が斜め上方向きに設けられている。
【００２１】
注出用ノズル７には、内容物収納部６から突き出た未シールの注出路８が設けられている。注出用ノズル７の注出路８より先端側のシール部には、指掛け孔９が設けられている。また、注出用ノズル７の一方のサイドシール部２側には、注出路の切断開封を開始するための開封開始ノッチ１０が設けられている。
【００２２】
また、注出用ノズル７には、開封開始ノッチ１０から注出路８を切断する方向に、易切断線１１が設けられている。易切断線１１は本例では、表側から入れられたハーフカットで設けられている。更にまた、一方のサイドシール部２には、取っ手部１２が設けられている。本例の包装袋１００では、取っ手部１２を一方のサイドシール部２に設けた、貫通孔で設けている。しかし、これに限ることなく、取っ手部を、切れ込みで設けても良いし、未シール部を設けて空気などで膨らませて、取っ手部としても良い。
【００２３】
底シール部４は、底テープ１３が２つに折られて、折り部が上になるように、表フィルムと裏フィルムの間に挟み込まれ、舟底形にシールされていて、自立性のあるスタンディングパウチになっている。
【００２４】
表裏のフィルム、および底テープ１３は、基材フィルムとシーラントフィルムが積層された積層フィルムからなっている。
【００２５】
基材フィルムとしては、ナイロン、ポリエチレンテレフタレート、ポリプロピレン等の樹脂の２軸延伸、あるいは、１軸延伸、未延伸のプラスチックフィルムが好ましく使用できる。その場合の厚さは１２〜５０μｍ程度である。
【００２６】
また、金属や無機物を蒸着した蒸着フィルムを、基材フィルムとして用いることもできる。また、これらを組み合わせて、基材フィルムを多層にして設けても良い。さらには、アルミ箔などの金属箔も、多層の基材フィルムの１層として設けることもできる。
【００２７】
シーラントフィルムには、熱溶融性樹脂が用いられる。ポリプロピレンや、低密度ポリエチレン、直鎖状低密度ポリエチレン、あるいは、酸変性ポリエチレンなどが用いられる。特に、直鎖状低密度ポリエチレンが好ましく用いらえる。
【００２８】
また、シーラントフィルムに多層の共押し出しフィルムを用いても良い。多層の共押し出しフィルムのシーラントフィルムとしては、低密度ポリエチレンや高密度ポリエチレンを中間層として、両面に直鎖状低密度ポリエチレンの層を設けたものが好ましく用いられる。
【００２９】
シーラントフィルムの厚さは、内容物の量によって、調整されるものであるが、８０μｍから２００μｍの厚さが好ましく、より好ましくは、１００μｍから１５０μｍが好ましく使用できる。
【００３０】
また、絵柄印刷層を基材フィルムの裏面などに設けることができる。また、多層の基材フィルムの場合は、基材フィルムの最外層のフィルムに絵柄印刷層を設けることが好ましい。絵柄印刷層を設ける印刷方式は、特に限定するものではないが、通常、グラビア印刷、あるいは、フレキソ印刷が用いられる。
【００３１】
本例の包装袋１００の製造は、従来からある製袋機で製造することができる。製袋機で包装袋１００の外形を抜き加工で形成するときに、指掛け孔９や取っ手部１２を設けることができる。また、易切断線１１のハーフカットの加工も、同時に行うこともできる。レーザ加工装置が備えられた製袋機なら、易切断線１１のハーフカットの加工をレーザによって行うこともできる。
【００３２】
このように製袋された包装袋に天シール部１の一部分が未シールになっている充填口５から内容物を充填し、充填口５を塞ぐようにシールして、天シール部１を完成させる。これにより内容物が充填された包装袋１００が完成する。
【００３３】
この包装袋１００を開封するには、片方の手で包装袋１００のサイドシール部２を持つか、あるいは、取っ手部１２の貫通孔に指を入れて持ち、他方の手の指を指掛け孔９に入れて持ち上げるようにして引っ張ると、開封開始ノッチ１０部分から切断されて、易切断線１１が切断される。これにより注出用ノズル７が切断され注出路８が開封され、内容物を注出路８から注ぎ出せるようになる。
【００３４】
指掛け孔９に指を入れて持ち上げるので、滑ることがなく軽い力で簡単に持ち上げられ、容易に開封することができる。また、サイドシール部２を手で持つより、取っ手部１２の貫通孔に指を入れて持つほうが、滑ることがなく開封しやすい。
【００３５】
従来の注出ノズルの先端部分のシール部を摘んで、ノズル上側シール部に設けた開封開始ノッチからねじ切るようにした方法では、力の弱い人や、手が濡れていて滑りやすい場合には、うまく開封できないことがあったが、本発明の包装袋では、前述のように、力の弱い人や、手が濡れていて滑りやすい場合でも、容易に注出用ノズルを切断して、注出路を開封することができる。
【００３６】
また、指掛け孔９が天シール部１の一方のサイドシール部２側に設けられ、取っ手部１２が、一方のサイドシール部２に設けられているので、引っ張る力が効率よく開封用ノッチに伝わり、容易に引き裂くことができる。また、易切断線１１が設けられているので、より容易に注出用ノズルを切断することができる。
【００３７】
さらに、底シール部が舟底形にシールされたスタンディングパウチであるので、底シール部を下にして、立てておくことができ、開封するときに、持ち上げる必要がないので、置いた状態で開封することができ、少ない力で開封することができる。
【符号の説明】
【００３８】
１００、２００・・・包装袋
１・・・天シール部
２、３・・・左右のサイドシール部
４・・・底シール部
５・・・充填口
６・・・内容物収納部
７・・・注出用ノズル
８・・・注出路
９・・・指掛け孔
１０、２１・・・開封開始ノッチ
１１・・・易切断線
１２・・・取っ手部
２０・・・摘む部分
【図１】
2015202873.tif 000003
【図２】
2015202873.tif 000004